(57)【要約】【課題】隣接する建物との間が狭く足場組が設置できない場合や、建物が高層であっても、作業者が乗って作業する揺れないステージを低コストで室外に設けることができ、もって外壁パネルの建込作業が安全且つ能率的に行え、シーリングと塗装とにおいては優れた仕上がりを得られるようにする。【解決手段】建物の階層における構造躯体としての床側の梁１と天井側の梁２との間の開口部５に外壁パネル４を建て込む際に、作業者Ｗが室外側から作業をするために使用する外壁パネル建込用ステージ１０であって、建て込み途中の外壁パネル４の側方の開口部５から室外に位置して作業者Ｗが乗ることができるステージ本体１１と、床側の梁１に係止してステージ本体１１を支持する掛止部３２とで構成した。【選択図】      図１
2004183391.tif 000002
【特許請求の範囲】
【請求項１】
建物の階層における構造躯体としての床側の梁と天井側の梁との間の開口部に外壁パネルを建て込む際に、作業者が室外側から作業をするために使用する外壁パネル建込用ステージであって、建て込み途中の外壁パネルの側方の開口部から室外に位置して作業者が乗ることができるステージ本体と、前記床側の梁又は前記階層の室内面に係止して前記ステージ本体を支持するステージ支持部とからなる外壁パネル建込用ステージ。
【請求項２】
前記ステージ本体が、前記建て込み途中の外壁パネルの正面に達するよう伸張された伸張部を備えている請求項１記載の外壁パネル建込用ステージ。
【請求項３】
前記ステージ支持部が、前記外壁パネルの下端部を取り付けるために前記床側の梁に取着された定規アングルに掛止される掛止部である請求項１又は２記載の外壁パネル建込用ステージ。
【請求項４】
前記ステージ支持部が、型材が立体枠状に組まれてなり前記階層の室内の床面上に載置される立体フレームと、該立体フレームから上方へ突設されて上端が該室内の天井面に押し当てられたときの突張作用により前記転動を止める突張機構とからなる請求項１又は２記載の外壁パネル建込用ステージ。
【請求項５】
前記立体フレームが、ローリングタワーである請求項４記載の外壁パネル建込用ステージ。
【請求項６】
前記突張機構がジャッキを備えている請求項４又は５記載の外壁パネル建込用ステージ。
【請求項７】
前記ステージ本体の反パネル側端ないし中間部から下方へ延びて、前記階層より下方の階層に建て込まれた外壁パネルの外表面に当接することにより、該ステージ本体の支持を補強する支持補強部材が設けられた請求項３記載の外壁パネル建込用ステージ。
【請求項８】
前記ステージ本体の反パネル側端ないし中間部と前記立体フレームとの間を連結することにより、該ステージ本体の支持を補強する支持補強部材が設けられた請求項４〜６のいずれか一項に記載の外壁パネル建込用ステージ。
【請求項９】
前記ステージ本体が、外壁パネルの下端部を床側の梁に取り付ける作業に適した高さの第一ステージ本体と、外壁パネルの上端部を天井側の梁に取り付ける作業に適した高さの第二ステージ本体とからなる請求項１〜８のいずれか一項に記載の外壁パネル建込用ステージ。
【請求項１０】
建物の階層における構造躯体としての床側の梁と天井側の梁との間の開口部に外壁パネルを建て込む際に、建て込み途中の外壁パネルの側方の開口部から室外に位置して作業者が乗ることができるステージ本体を、前記床側の梁又は前記階層の室内面に係止するステージ支持部により支持し、作業者が前記ステージ本体に乗って室外側から作業をすることができるようにした外壁パネルの建込方法。
【発明の詳細な説明】
【０００１】
【発明の属する技術分野】
本発明は、建物の階層に外壁パネルを建て込む際に作業者が室外側から作業をするために乗る外壁パネル建込用ステージと、該ステージを使用した外壁パネルの建込方法とに関するものである。
【０００２】
【従来の技術】
建物の階層に外壁パネルを建て込む際には、室内側からの作業だけで行うことが難しく、室外側からの作業も必要となるため、該階層の室外側（建物の周囲）に作業者が乗る足場が設けられる。室外側からの作業は、▲１▼外壁パネルの搬入及び建物躯体（梁）への取付作業、▲２▼外壁パネルの目地部へのシーリング作業（養生テープ貼着、プライマー塗布、シーリング材充填、シーリング材表面の平滑処理を含む。）、及び▲３▼外壁パネルの塗装作業であり、それぞれ足場が必要となる。とりわけ▲２▼▲３▼の作業はシーリング材の充填や塗装を確実に且つ綺麗に行うために、室外側から目視確認しながら作業を行う必要がある。そのような外壁パネル建込用の従来の足場としては、次のものを例示できる。
（１）建物外周の全面に地面から組み上げる足場組。
（２）ゴンドラ懸吊装置により昇降動作するゴンドラや、揺れ防止対策の施されたゴンドラ（例えば、特許文献１、特許文献２参照。）。
（３）足場を建物の屋上立上がり部から外壁に沿って吊設するとともに外壁に沿って水平方向へ移動可能にした吊り足場（例えば、特許文献３参照。）。
【０００３】
【特許文献１】
特開平６−２０６６９８号公報
【特許文献２】
特開平５−７９１７９号公報
【特許文献３】
特開昭６１−１５５５５４号公報
【０００４】
【発明が解決しようとする課題】
（１）前記足場組は、地上から組み上げるので広範な作業内容に対応可能である。しかし、隣接する建物との間に１．５ｍ以上の空間がない場合には、組み上げることができないという問題があった。そこで、そのような場合には、後から塗装の必要のない塗装済み外壁パネルを使用し、建物外周に足場組を設けることなく室内側から外壁パネルの搬入及び取付や目地部へのシーリング作業を行わざるを得なかった。
この場合の室内側からの外壁パネルの取付作業では、作業性が悪く外壁パネルを正確に位置決めできないという問題がある。また、この場合の室内側からの外壁パネル目地部へのシーリング作業は、外壁パネルの脇から目地部まで手を伸ばして感覚的に作業することとなるため、目地部にシーリング材が十分に充填されなかったり、その状況の目視確認が困難である。また、外壁パネルの搬入及び取付作業も含めて、室内側からの作業は、作業者の落下防止に対しても十分な対策をしておく必要があった。
また、足場組は、建築規模によっても異なるが、組立及び解体に相当な日数が必要となるとともに、その費用も非常に高い。また、建物が高層になると骨組みを強化する必要があり、安全管理が難しくなるという問題もあった。
【０００５】
（２）一方、特許文献１のようなゴンドラ足場は、隣接する建物との間に１．５ｍ以上の空間がない場合にも適用可能である。しかし、宙吊りされているだけであるから、揺れが大きくて、作業者が船酔い状態となりやすいとともに、不安感があって作業能率を上げることが難しかった。特許文献２のように吸着盤を外壁に吸着させることにより外壁に対して固定したゴンドラ足場によれば、揺れは減るが、安全を考慮して作業内容は限定された。
【０００６】
（３）特許文献３のような吊り足場によれば、揺れは減り、作業内容も限定されないが、足場の長さを建物の高さに合わせて長くする必要があるため、高層の建物への適用には限界があった。
【０００７】
そこで本発明の目的は、上記課題を解決し、隣接する建物との間が狭く足場組が設置できない場合や、建物が高層であっても、作業者が乗って作業する揺れないステージを低コストで室外に設けることができ、もって外壁パネルの建込作業が安全且つ能率的に行え、シーリングと塗装とにおいては優れた仕上がりを得ることができる外壁パネル建込用ステージと、外壁パネルの建込方法とを提供することにある。
【０００８】
【課題を解決するための手段】
本発明に係る外壁パネル建込用ステージは、建物の階層における構造躯体としての床側の梁と天井側の梁との間の開口部に外壁パネルを建て込む際に、作業者が室外側から作業をするために使用する外壁パネル建込用ステージであって、建て込み途中の外壁パネルの側方の開口部から室外に位置して作業者が乗ることができるステージ本体と、前記床側の梁又は前記階層の室内面に係止して前記ステージ本体を支持するステージ支持部とからなることを特徴としている。
【０００９】
ステージ支持部を係止させる部位としては、次の部位を用いる。
（１）床側の梁にステージ支持部が係止される態様。
この場合において、ステージ支持部は、特に限定されないが、外壁パネルの下端部を取り付けるために床側の梁に取着された定規アングルに掛止される掛止部であることが好ましい。また、ステージ本体の反パネル側端ないし中間部から下方へ延びて、階層より下方の階層に建て込まれた外壁パネルの外表面に当接することにより、該ステージ本体の支持を補強する支持補強部材が設けられていることが好ましい。支持補強部材の形態は、特に限定されない。なお、本明細書で「パネル側」とは室外であって外壁パネルにより近い側を意味し、「反パネル側」とは室外であって外壁パネルから遠い側を意味する。
【００１０】
（２）階層の室内面にステージ支持部が係止される態様。
この場合において、ステージ支持部は、特に限定されないが、型材が立体枠状に組まれてなり階層の室内の床面上に載置される立体フレームと、該立体フレームから上方へ突設されて上端が該室内の天井面に押し当てられたときの突張作用により転動を止める突張機構とからなるものが好ましい。
【００１１】
立体フレームは、特に限定されないが、ローリングタワーが好ましい。ローリングタワーの形態は、特に限定されないが、突張による係止効果が十分得られるように、ストッパ付きのキャスタを備えたものが好ましい。また、ローリングタワーの脚（支柱）よりもローリングタワーの外側に突出して床に突っ張ることでローリングタワーの転倒を防ぐアウトリガーを付設してもよい。アウトリガーの数や形態は、特に限定されない。
【００１２】
突張機構は、特に限定されないが、ジャッキが備えられているものが好ましい。突張機構を設ける位置としては、特に限定されないが、突張による係止効果が十分得られるように、ローリングタワーの支柱に設けることが好ましい。具体的には、ローリングタワーの支柱に取付けられて天井面近くまで上方に延びる支柱延長材と、該支柱延長材の上端部に設けたジャッキとを組み合わせた突張機構を例示できる。また、アウトリガーを備えたローリングタワーの場合は、突張作用を更に高めるために、アウトリガーの接床部位にもジャッキを設けることが好ましい。
【００１３】
ステージ本体の寸法は、特に限定されないが、幅（室内側から室外側へ向かう方向）は４００ｍｍ〜６００ｍｍが好ましく、長さ（梁の延びる方向）は６００ｍｍ〜１０００ｍｍが好ましい。
【００１４】
ステージ本体の反パネル側端ないし中間部と立体フレームとの間を連結することにより、該ステージ本体の支持を補強する支持補強部材が設けられることが好ましい。支持補強部材の形態は、特に限定されない。
【００１５】
上記（１）又は（２）において、ステージ本体は、特に限定されないが、建込作業を効率化するために、外壁パネルの下端部を床側の梁に取り付ける作業に適した高さの第一ステージ本体と、外壁パネルの上端部を天井側の梁に取り付ける作業に適した高さの第二ステージ本体とからなるものが好ましい。
【００１６】
第一ステージ本体又は第二ステージ本体の幅（室内側から室外側へ向かう方向）は、特に限定されないが、４００ｍｍ〜６００ｍｍが好ましい。第一ステージ本体又は第二ステージ本体の長さ（梁の延びる方向）は、特に限定されないが、上記（２）の場合、立体フレームの辺長（梁に平行に延びる辺の長さ）以下が好ましく、６００ｍｍ〜１０００ｍｍがより好ましい。
【００１７】
建込途中の外壁パネルに対して、該外壁パネルの略正面から建込作業を行えるように、ステージ本体が、建て込み途中の外壁パネルの正面に達するよう伸張された伸張部を備えていることが好ましい。伸張部の寸法は、特に限定されないが、幅（パネル側から反パネル側へ向かう方向）は４００ｍｍ〜６００ｍｍが好ましく、長さ（梁の延びる方向）は、シーリング作業予定の目地部の正面に回りこめるように６００ｍｍ〜９００ｍｍが好ましい。
【００１８】
本発明に係る外壁パネルの建込方法は、建物の階層における構造躯体としての床側の梁と天井側の梁との間の開口部に外壁パネルを建て込む際に、建て込み途中の外壁パネルの側方の開口部から室外に位置して作業者が乗ることができるステージ本体を、前記床側の梁又は前記階層の室内面に係止するステージ支持部により支持し、作業者が前記ステージ本体に乗って室外側から作業をすることができるようにしたことを特徴としている。
【００１９】
本発明は、外壁パネルの種類に限定されるものではないが、塗装済みの外壁パネルを建て込む（取付作業とシーリング作業とだけを行う）場合に特に有効である。
【００２０】
【発明の実施の形態】
以下、本発明を具体化したパネル建込用ステージの実施形態について、図面を参照して説明する。
【００２１】
まず、図１〜図２は第一実施形態の外壁パネル建込用ステージ１０を示しており、建物の階層における構造躯体としての床側の梁１と天井側の梁２との間の開口部５に外壁パネル４を建て込む際に、作業者Ｗが室外側から作業をするために使用する外壁パネル建込用ステージ１０であって、建て込み途中の外壁パネル４の側方の開口部５から室外に位置して作業者Ｗが乗ることができるステージ本体１１と、床側の梁１に係止してステージ本体１１を支持するステージ支持部としての後述する掛止部３２とからなっている。
【００２２】
床側の梁１及び天井側の梁２の上側には、図１に示すように、外壁パネル４の下端部を取り付けるための定規アングルとしてのＬ型アングル６がそれぞれ取着されている。Ｌ型アングル６は、図２に示すように、基端６ａから垂直に延びる垂直フランジ部６ｂと、基端６ａから水平に延びる水平フランジ部６ｃとからなっている。そしてＬ型アングル６は、その基端６ａが梁１（又は梁２）の上側フランジの室外寄り端部から僅かに突出するようにして、梁１（又は梁２）の上側フランジの上面に溶接固定されている。
【００２３】
Ｌ型アングル６には、外壁パネル建込用ステージ１０のステージ本体１１が係止されている。ステージ本体１１は、図１に示すように、偏平四角板状の床板１２と、床板１２の上側に設けられた安全柵１８とを備えている。床板１２は、Ｌ型アングル６の近傍から反パネル側に略水平に例えば５００ｍｍの幅を備え、梁１の延びる方向に例えば９００ｍｍの長さを備えている。また、床板１２の上面の四隅には、後述する四本の支柱１９がそれぞれ嵌合する例えば長さ１５０ｍｍの円筒状部材１３が立設されている。
【００２４】
また、安全柵１８は、前述した四本の支柱１９と、各支柱１９間に架設された複数の連結杆２０とから構成されている。
【００２５】
支柱１９は、例えば外径４０ｍｍで長さが２５００ｍｍの管状材で、各円筒状部材１３の内側に上から挿入した後、抜けないようにロックできるようになっていて、ロックを解除することによって各円筒状部材１３から支柱１９を抜いて床板１２と安全柵１８とが分解できるようになっている。また、連結杆２０は、例えば支柱１９と同じ外径の管状材で、支柱１９間に５本ずつ略水平に間隔をおいて配されて、その両端が隣接する支柱１９に溶接固定されている。なお、安全柵１８は、支柱１９と連結杆２０とを全て溶接固定しないで、回動部分を設けて折りたためるようにしたり、分解できるようにしてもよい。
【００２６】
床板１２には、図２に示すように、Ｌ型アングル６に掛止される掛止部３２が設けられ、床板１２は、掛止部３２によって床側の梁１に溶接されたＬ型アングル６に掛止されている。掛止部３２は、床板１２の長さ方向両端部がパネル側（図２における左側）に略水平且つ互いに平行に延出された部分であり、その先端部にはＬ型アングル６の垂直フランジ部６ｂに掛止される掛止溝３３がそれぞれ形成されている。なお、床板１２と掛止部３２とは、一体形成されたものであってもよいし、別体形成された床板１２と掛止部３２とを接合したものでもよい。
【００２７】
床板１２の下側には、ステージ本体１１の反パネル側端（図２における右端）から下方へ延びて、外壁パネル４の建込中の階層より下方の階層に建て込まれた外壁パネル４の外表面に当接することにより、該ステージ本体１１の支持を補強する支持補強部材１７が設けられている。支持補強部材１７は、図２に示すように、床板１２のパネル側端部の両端からそれぞれ垂下する当接部１４と、当接部１４と床板１２との間に斜めに架設された筋交１６とで構成されている。
【００２８】
当接部１４は、例えば６５０ｍｍの長さで垂下している。また、当接部１４の高さ方向中央部よりやや下端寄りの位置には、図２に示すように、パネル側に延びて、下方の階層に建て込まれた外壁パネル４の外表面に当接する着壁部１５が形成されている。着壁部１５の先端は、外壁パネル４の外表面を傷つけないよう、柔軟な素材で形成されている。
【００２９】
上記のように構成された第一実施形態の外壁パネル建込用ステージを使用した外壁パネルの建込方法について説明する。
（１）外壁パネル建込用ステージの梁への取付
床側の梁１と天井側の梁２との間の建て込み途中の外壁パネル４の側方の開口部５から、室外に位置して作業者Ｗが乗ることができるステージ本体１１を、図２に示すように、床側の梁１に溶接したＬ型アングル６に掛止した掛止部３２により支持させ、当接部１４の着壁部１５を下階層の建て込み済みの外壁パネル４の外表面に当接させる。
（２）外壁パネルの取付け
外壁パネル４を建て込む階層の室内に、建て込む外壁パネル４を用意して、ウインチ等（図示略）により吊り上げて、外壁パネル４を所定の取付け位置に移動する。その際に、図１に示すように、外壁パネル建込用ステージ１０のステージ本体１１に乗った作業者Ｗが、室外側から外壁パネル４を把持して誘導する。所定位置に外壁パネル４が移動できたら、作業者Ｗにより外壁パネル４がＬ型アングル６に取付金具を介してボルト締め固定される。
（３）シーリング作業
外壁パネル建込用ステージ１０のステージ本体１１に乗った作業者Ｗが、建て込み直後の外壁パネル４の目地部４ａの状況を目視確認しながらシーリング作業（養生テープ貼着、プライマー塗布、シーリング材充填、シーリング材表面の平滑処理）を行う。
（４）塗装作業
外壁パネル建込用ステージ１０のステージ本体１１に乗った作業者Ｗが、建て込み直後の外壁パネル４の塗装面の状況を目視確認しながら塗装作業を行う。なお、塗装作業だけをゴンドラ足場を用いて行ってもよい。
【００３０】
従って、本実施形態の外壁パネル施工方法及び外壁パネル建込用ステージによれば、次のような効果が得られる。
（ａ）ステージ本体１１が、５００ｍｍの幅に形成されているので、隣接する建物との間が狭く足場組が設置できない場合でも対応できる。
（ｂ）掛止部３２を床側の梁１に溶接されたＬ型アングル６に掛止させるだけでステージ本体１１を支持させることができるので、建物が高層であっても対応でき、更に足場組のように骨組み強化の必要がないので安全管理が容易である。
（ｃ）外壁パネル建込用ステージ１０が、従来の足場組に比べて非常にコンパクトであり、設置時間が大幅に短縮でき、費用も格段に節約できる。
（ｄ）ステージ本体１１が、従来のゴンドラ足場と異なり宙吊りされたものではないので、作業内容が限定されず、また揺れないので作業者Ｗが安心して作業することができ、不安による作業能率の低下を招くことがない。
（ｅ）ステージ本体１１を室外に位置させたことにより、ステージ本体１１に乗った作業者が室外側から外壁パネル４の取付作業を行うことができる。これにより外壁パネル４の位置決めがしやすくなる。また、シーリング作業及び塗装作業時に、作業者Ｗが室外側からその状況を確認することができるので、従来感覚的に行っていた作業が目視により状況確認しながら作業を行えるようになる。これにより、シーリング作業及び塗装作業の各工程を確実に行ってから次工程に進めるようになりシーリング及び塗装の品質が向上する。
（ｆ）また、ステージ本体１１に安全柵１８が設けられていることにより、室内からのシーリング作業に比べて作業者Ｗの安全性を高めることができる。
【００３１】
次に、本発明を具体化した第二実施形態の外壁パネル建込用ステージについて、図３を参照して第一実施形態と異なる点についてのみ説明する。本実施形態の外壁パネル建込用ステージは、ステージ本体が伸張された点においてのみ第一実施形態と異なるものである。
【００３２】
本実施形態の外壁パネル建込用ステージ１０は、ステージ本体１１が、建て込み途中の外壁パネル４の正面に達するよう、開口部５から建て込み途中の外壁パネル４に向かう方向ヘ伸張された伸張部４１を備えている。即ち、床板１２と床板１２の長さ方向に延びる連結杆２０とが、開口部５から建て込み途中の外壁パネル４に向かう方向に８００ｍｍ伸張されて伸張部４１が形成されている。
【００３３】
また、図３に示すように、外壁パネル建込用ステージ１０が傾くのを防止する安定部材４５を設けてもよい。安定部材４５は、取付後の外壁パネル４にステージ本体１１の伸張部４１側を、ステージ本体１１が伸張部４１側に傾くのを防ぎ得るように係止するものである。即ち、安定部材４５は、伸張部４１側でパネル側に位置する支柱１９の上端から開口部５の方向へ略水平に例えば８００ｍｍの長さに延びる基端部と、基端部の先端から室内に向かって略水平に延びる中間部と、中間部の先端から基端部と逆行する方向に延びる先端部とを備えている。安定部材４５は、作業者Ｗが床板１２の伸張部４１側に移動しても、安定部材４５が取付後の外壁パネル４の小口に引っ掛かっているので外壁パネル建込用ステージ１０が伸張部４１側に傾くのを防止する。なお、伸張部４１の長さによっては安定部材４５を省略することができる。
【００３４】
従って、本実施形態の外壁パネル建込用ステージ１０によれば、上記（ａ）（ｂ）（ｃ）（ｄ）（ｅ）（ｆ）に加えて次のような効果が得られる。
（ｇ）ステージ本体１１が伸張されて外壁パネル４の正面に達しているので、外壁パネル４の取付作業では、外壁パネル４の略真正面から作業することができるようになる。これにより外壁パネル４の位置決めがしやすくなり、外壁パネル４の取付所要時間が第一実施形態よりも短縮できる。また、シーリング作業及び塗装作業では、目地部４ａの略真正面から作業することができるようになる。これによりシーリング作業及び塗装作業の状況確認が第一実施形態よりも行いやすくなり、シーリングと塗装の品質を第一実施形態よりも向上させることができる。
【００３５】
次に、本発明を具体化した第三実施形態の外壁パネル建込用ステージ５０について、図４〜図８を参照して第一実施形態と異なる点についてのみ説明する。本実施形態の外壁パネル建込用ステージ５０は、ステージ支持部の構成とステージ本体の構成及び数において第一実施形態と異なるものである。
【００３６】
即ち、本実施形態では、ステージ支持部が、型材が立体枠状に組まれてなり階層の室内の床面上に載置される立体フレームと、該立体フレームから上方へ突設されて上端が該室内の天井面に押し当てられたときの突張作用により転動を止める突張機構とからなっている。
【００３７】
立体フレームは、図５に示すように、ストッパ付きキャスタ５２を備えた周知のローリングタワー５１であり、辺長が例えば２０００ｍｍの正方形の頂点位置に垂立された管状材からなる四本の支柱５３と、隣り合う支柱５３間に水平に延びる複数の連結杆５４と、四本の支柱５３の高さ方向途中部において略水平に支持された四角板状の床板５５と、各支柱５３の下端にそれぞれ設けられたストッパ付きキャスタ５２とから構成されるが周知のものなので詳細は省略する。
【００３８】
また、ローリングタワー５１は、図４に示すように、開口部５間際の室内であって、床側の梁１の上側に形成された床としての床スラブＳ１の上面に、床板５５の一辺が梁１と平行となるように組み立て載置されている。また、ローリングタワー５１の上方には、天井側の梁２の上側に、天井としての床スラブＳ２が形成されている。
【００３９】
突張機構は、ローリングタワー５１の例えば室内奥側（図６における右側）に位置する二本の支柱５３に取付けられている。突張機構は、図６に示すように、床スラブＳ２の下面近傍まで延びる支柱延長部材５６と、支柱延長部材５６の上端部に備えられたジャッキ５７とで構成されている。支柱延長部材５６は、例えば支柱５３と同等の管状材であり、図５に示すように、各支柱５３の上半部に平行となるように連結金具５８で固定されている。
【００４０】
また、ジャッキ５７は、延出方向に操作することにより、図６に示すように、ジャッキ５７の上端が天井面である床スラブＳ２の下面に押し当てられ、突張作用によりローリングタワー５１の転動が止められるようになっている。なお、ローリングタワー５１には、ローリングタワー５１の安定性をより高めるためにアウトリガーを設けてもよい。その場合は、アウトリガーの接床部にもジャッキ５７を設けることにより、突張作用によるローリングタワー５１の転動を止める効果を更に高めることができる。
【００４１】
また、ローリングタワー５１の室外側には、図６に示すように、外壁パネル４の下端部を床側の梁１に取り付ける作業に適した高さの第一ステージ本体６２と、外壁パネル４の上端部を天井側の梁２に取り付ける作業に適した高さの第二ステージ本体７０とからなるステージ本体６１が設けられている。
【００４２】
ローリングタワー５１の高さの略三分の一の高さの位置には、図６に示すように、二本の支柱５３間に架設されて室外まで略水平に延びるように支持された一対の水平材５９が設けられている。一対の水平材５９の先端部には、第一ステージ本体６２が吊設されている。
【００４３】
第一ステージ本体６２は、図５に示すように、四本の支柱６３と、隣り合う支柱６３間に水平に延びる複数の連結杆６４と、四本の支柱６３の下端に四隅を支持された偏平四角板状の床板６５とから構成され、床板６５は例えば幅が５００ｍｍで長さが９００ｍｍに形成されている。支柱６３の高さ方向途中部に設けられた連結杆６４は、第一ステージ本体６２に乗った作業者Ｗの安全柵としても機能する。
【００４４】
また、第一ステージ本体６２は、一対の水平材５９によりその全体が建て込み途中の外壁パネル４側（図７における左側）に寄せられると共に、図６に示すように、外壁パネル４との間に例えば５０ｍｍ〜１００ｍｍ程度の間隔をおいて位置するようになっている。
【００４５】
また、第一ステージ本体６２は、建て込み途中の外壁パネル４の正面に達するよう、開口部５から建て込み途中の外壁パネル４に向かう方向（図７における左方向）へ８００ｍｍ伸張された伸張部６６を備えている。即ち、床板６５と床板６５の長さ方向に延びる連結杆６４とが、開口部５から建て込み途中の外壁パネル４に向かう方向に８００ｍｍ伸張されて伸張部６６が形成されている。
【００４６】
第一ステージ本体６２とローリングタワー５１との間には、図６に示すように、第一ステージ本体６２の幅方向中間部とローリングタワー５１との間を連結することにより、第一ステージ本体６２の支持を補強する支持補強部材６７が設けられている。支持補強部材６７は、第一ステージ本体６２の幅方向中間部に位置する水平材５９の先端と、水平材５９を支持する室外寄りの支柱５３との間に斜めに延びるように設けられ、その両端は水平材５９と支柱５３とにそれぞれ固定されている。
【００４７】
床板５５は、図５に示すように、例えば辺長２０００ｍｍの正方形状に形成され、水平となるようにその四隅が四本の支柱５３に支持されている。また、床板５５の一端（図６における左端）は、室外側に向かって５５０ｍｍ延長されて延長部７８が設けられている。延長部７８は、床板５５と同様にローリングタワー５１に水平支持され、その延長端は外壁パネル４の外表面よりも室外に５０ｍｍから１００ｍｍ突出するようになっている。
【００４８】
また、延長部７８の延長端には、図５に示すように、例えば４５０ｍｍの幅で２０００ｍｍの長さを備えた床板７９が設けられている。床板７９は、延長部７８の延長端側に、延長部７８と平行となるように列設され、床板５５、延長部７８と共にローリングタワー５１に水平支持されている。
【００４９】
床板７９と、該床板７９の縁に立設された安全柵７２とで、図５に示すような第二ステージ本体７０が形成されている。また、第二ステージ本体７０は、図７に示すように、建て込み途中の外壁パネル４の正面に達するよう、開口部５から建て込み途中の外壁パネル４に向かう方向へ例えば８００ｍｍ伸張されて伸張部７３が形成されている。伸張部７３の先端位置の略直下には、第一ステージ本体６２の伸張部６６の先端が位置している。
【００５０】
安全柵７２は、図５に示すように、第二ステージ本体７０の伸張に伴って伸張部７３の先端位置まで伸張されている。また、伸張部７３のパネル側端の略直下位置には、第一ステージ本体６２の伸張部６６のパネル側端が位置するようになっている。なお、床板５５、延長部７８、床板７９及び伸張部７３は全て別体形成されたものでも、いずれか二つ以上が一体形成されたものでもよく、全てが一体形成されたものでもよい。
【００５１】
床板７９の下側には、図５に示すように、第二ステージ本体７０の幅方向中間部とローリングタワー５１との間を連結することにより、第二ステージ本体７０の支持を補強する支持補強部材７５が設けられている。支持補強部材７５は、床板７９の長さ方向両端の幅方向中間部と、最も近い各支柱５３との間に斜めに延びるように設けられ、その両端は床板７９と支柱５３とにそれぞれ固定されている。
【００５２】
上記のように構成された第三実施形態の外壁パネル建込用ステージ５０を使用した外壁パネル４の建込方法について説明する。
（１）外壁パネル建込用ステージの設置
図４に示すように、建て込み途中の外壁パネル４の側方の開口部５から室外に位置して作業者Ｗが乗ることができるステージ本体６１を、階層の室内面にジャッキ５７を延出させて突っ張ることにより係止したローリングタワー５１により支持させる。このとき、図７に示すように、建て込み済み外壁パネル４とローリングタワー５１との間の距離を、建て込み予定の外壁パネル４の幅よりも例えば５０ｍｍ〜１００ｍｍほど広く確保しておく。また、図６に示すように、外壁パネル４を建て込んだ時に外壁パネル４の外表面と伸張部６６のパネル側端（及び伸張部７３のパネル側端）との間に例えば５０ｍｍ〜１００ｍｍ程度の隙間が残るようにする。
（２）外壁パネルの取付け
次に、図７に示すように、梁２の上層階の梁３にウインチ８１を取付けて床スラブＳ２上の作業者Ｗがウインチ８１を操作して、外壁パネル４を伸張部６６及び伸張部７３のパネル側に吊り上げる。このときに、第一ステージ本体６２と第二ステージ本体７０とにそれぞれ乗った二人の作業者Ｗが室外側から外壁パネル４を取付け位置に誘導する。取付け所定位置に建て込み予定の外壁パネル４を移動できたら、二人の作業者Ｗにより外壁パネル４がＬ型アングル６に取付金具を介してボルト締め固定される。
（３）シーリング作業
次に、図８に示すように、外壁パネル４の目地下半部４ｂと目地上半部４ｃとに対し、第一ステージ本体６２に乗った作業者Ｗと第二ステージ本体７０に乗った作業者Ｗとがそれぞれシーリング作業及びその状況確認を同時に行う。なお、一人の作業者Ｗが第一ステージ本体６２と第二ステージ本体７０とを移動して目地下半部４ｂと目地上半部４ｃとに対するシーリング作業を行ってもよい。
（４）塗装作業
次に、外壁パネル４の塗装面の状況を目視確認しながら、第一ステージ本体６２に乗った作業者Ｗと第二ステージ本体７０に乗った作業者Ｗとがそれぞれ塗装作業及びその状況確認を同時に行う。なお、一人の作業者Ｗが第一ステージ本体６２と第二ステージ本体７０とを移動して塗装作業を行ってもよい。なお、塗装作業だけをゴンドラ足場を用いて行ってもよい。
【００５３】
従って、本実施形態の外壁パネル建込用ステージ５０及び外壁パネル施工方法によれば、次のような効果が得られる。
（ｉ）ステージ本体６１（第一ステージ本体６２及び第二ステージ本体７０）と外壁パネル４との間に隙間（５０ｍｍ〜１００ｍｍ）を設ける分だけ第一実施形態や第二実施形態よりもステージ本体６１が反パネル側に突き出るので、適用できるケースが第一実施形態及び第二実施形態よりもやや減るものの、隣接する建物との間が狭く足場組が設置できない場合でも対応できる。
（ｊ）また、ローリングタワー５１を階層の室内に突張作用により係止させるだけで、ステージ本体６１を支持させることができるので、建物が高層であっても対応でき、更に足場組のように骨組み強化の必要がないので安全管理が容易である。
（ｋ）本実施形態の外壁パネル建込用ステージ５０が第一実施形態や第二実施形態の外壁パネル建込用ステージ１０に比べれば寸法が大きくなるので第一実施形態や第二実施形態ほどの効果は得られないものの、従来の足場組みに比べれば本実施形態の外壁パネル建込用ステージ５０がコンパクトなので、設置時間が大幅に短縮でき、費用も格段に節約できる。
（ｌ）（ｄ）と同様に、ステージ本体６１が従来のゴンドラ足場と異なり宙吊りされたものではないので、作業内容が限定されず、また揺れないので作業者Ｗが安心して作業することができ、不安による作業能率の低下を招くことがない。
（ｍ）伸張部６６を備えた第一ステージ本体６２と伸張部７３を備えた第二ステージ本体７０とからなるステージ本体６１を、室外に位置させたことにより、第一ステージ本体６２に乗った作業者Ｗと第二ステージ本体７０に乗った作業者Ｗとが、外壁パネル４の略正面から外壁パネル４の建込作業を協同で行うことができる。これにより第二実施形態よりも外壁パネル４の位置決めがしやすくなり、外壁パネル４の取付所要時間、シーリング所要時間、及び塗装所要時間を第二実施形態よりも短縮できる。
また、目地下半部４ｂ、目地上半部４ｃの略正面からシーリング作業を行えるので、シーリングの品質を第二実施形態と同等に向上させることができる。また、塗装作業時に作業者Ｗが外壁パネル４の略正面から作業することができるので、塗装の品質を第二実施形態と同等に向上させることができる。
（ｎ）（ｆ）と同様に、第一ステージ本体６２と第二ステージ本体７０とに安全柵を兼ねる複数の連結杆６４と安全柵７２とがそれぞれ設けられていることにより、室内からのシーリング作業に比べて作業者Ｗの安全性を高めることができる。
【００５４】
なお、本発明は前記実施形態に限定されるものではなく、例えば以下のように、発明の趣旨から逸脱しない範囲で適宜変更して具体化することもできる。
（１）ローリングタワーの構成を適宜変更すること。例えば、ローリングタワーにアウトリガーを設けたり、ジャッキの数や取付け場所等を変更すること。
（２）本発明の外壁パネル建込用ステージ１０又は外壁パネル建込用ステージ５０を、塗装済みの外壁パネルの建込に使用すること。外壁パネルの取付け作業は外壁パネル単位で、シーリング作業は外壁パネルの目地部単位で行うことで十分な品質を得ることができる。
【００５５】
【発明の効果】
以上詳述した通り、本発明の外壁パネル建込用ステージ及び外壁パネルの建込方法によれば、隣接する建物との間が狭く足場組が設置できない場合や、建物が高層であっても、作業者が乗って作業する揺れないステージを低コストで室外に設けることができ、もって外壁パネルの建込作業が安全且つ能率的に行え、シーリングと塗装とにおいては優れた仕上がりを得ることができる。
【図面の簡単な説明】
【図１】本発明の第一実施形態に係る外壁パネル建込用ステージを示す斜視図である。
【図２】同外壁パネル建込用ステージの側面図である。
【図３】本発明の第二実施形態に係る外壁パネル建込用ステージを示す斜視図である。
【図４】本発明の第三実施形態に係る外壁パネル建込用ステージを示す斜視図である。
【図５】同外壁パネル建込用ステージの拡大斜視図である。
【図６】同外壁パネル建込用ステージの側面図である。
【図７】同外壁パネル建込用ステージによる外壁パネルの取付作業を示す正面図である。
【図８】同外壁パネル建込用ステージによる外壁パネルのシーリング作業を示す正面図である。
【符号の説明】
１    梁
２    梁
４    外壁パネル
５    開口部
１０    外壁パネル建込用ステージ
１１    ステージ本体
３２    ステージ支持部としての掛止部
Ｗ    作業者
【図１】
2004183391.tif 000003
【図２】
2004183391.tif 000004
【図３】
2004183391.tif 000005
【図４】
2004183391.tif 000006
【図５】
2004183391.tif 000007
【図６】
2004183391.tif 000008
【図７】
2004183391.tif 000009
【図８】
2004183391.tif 000010